(57)【要約】      （修正有）【課題】スロットイン光ディスク駆動装置が異常動作状態にあるときに、光ディスクを迅速にアンロードする緊急取出装置を提供する。【解決手段】スロットイン光ディスク駆動装置用の緊急取出装置２４は、細棒材４７が取出孔２３内に挿入され緊急取出し用の取出プレート４１を回転させると、ガイドピン５４がガイドスロット５０に沿って摺動されて解除バー４２を回動させ、それによって、解除バー４２の他端部におけるクラッチギア３３が自動ロック式動力装置３０から外れる。その後、取出プレート４１がラック４８を移動させて変速ギアユニット３１を駆動するために所定方向にラチェットユニット４０を回転させてディスクをアンロードする。【選択図】図２
2013242955.tif 000002
【特許請求の範囲】
【請求項１】
スロットイン光ディスク駆動装置用の緊急取出装置において、当該緊急取出装置が、前記スロットイン光ディスク駆動装置の筐体の内側に配置されており、取出孔が前記筐体に形成されており、前記スロットイン光ディスク駆動装置が自動ロック式動力装置を利用して変速ギアユニットを駆動させ、該変速ギアユニットの伝達部分がメインギアを介してクラッチギアと係合して前記自動ロック式動力装置と接続され、前記変速ギアユニットの他の伝達部分が、前記スロットイン光ディスク駆動装置に対して光ディスクをロード又はアンロードするために、ローラを回転させるとともに取出機構を駆動させる、前記緊急取出装置において：
軸線方向に互いに接続された遊動輪とラチェットとを備えたラチェットユニットであって、前記遊動輪が前記変速ギアユニットに係合される、前記ラチェットユニットと;
前記変速ギアユニットに回転自在に枢動する取出プレートであって、該取出プレートの一端部が前記取出孔に整列させられ、ラックとガイドスロットとが前記取出プレートの他端部に配置され、前記ラックは前記取出プレートの移動に従って前記ラチェットと係合し又は前記ラチェットから分離され、前記ガイドスロットは、Ｎ字型のスロットである、前記取出プレートと;
前記メインギアの軸線について枢動される解除バーであって、該解除バーの一端部が、前記クラッチギアを前記メインギアに係合させるために、前記クラッチギア上に固定されており、ガイドピンが、前記解除バーの他端部から突出しており前記ガイドスロット内に挿入されて摺動自在になる、前記解除バーと；
回復バネであって、前記取出プレート上に固定された前記回復バネの一端が、弾性力を提供して前記取出プレートの一端部を回復させて、前記取出孔と整列させる、前記回復バネと;
を備える、緊急取出装置であって、
細棒材が、前記取出孔内に挿入されて緊急取出し用の前記取出プレートを回転させ、前記ガイドピンが、前記ガイドスロットに沿って摺動されて前記解除バーを回転させ、それによって、前記解除バーの他端部に配置された前記クラッチギアが、前記自動ロック式動力装置から分離され、前記取出プレートが、前記ラックを駆動させて、変速ギアユニットを駆動するために所定方向に前記ラチェットユニットを回転させて、光ディスクをアンロードする、
緊急取出装置。
【請求項２】
前記ラチェットが所定方向に回転するときに、前記遊動輪は回転するが、前記ラチェットは前記遊動輪に対しては回転せず、前記ラチェットが前記所定方向とは反対方向に回転するときに、前記ラチェットが、空転状態になり前記遊動輪を回転させない、
請求項１に記載の緊急取出装置。
【請求項３】
前記所定方向が、時計回りの方向である、
請求項２に記載の緊急取出装置。
【請求項４】
前記細棒材が引抜かれるときに、前記回復バネが、前記取出プレートを回復させ、前記取出プレートが、前記ラックを駆動して前記所定方向とは反対方向に前記ラチェットを回転させ、前記ラチェットが、空転状態となるとともに前記変速ギアユニットを逆向きに回転させるように前記遊動輪を駆動させない、
請求項２に記載の緊急取出装置。
【請求項５】
ソケットが、前記取出プレートの一端部に配置されており、前記細棒材が、挿入された状態で前記ソケットによって固定される、
請求項１に記載の緊急取出装置。
【請求項６】
前記ガイドスロットは、調整領域とクラッチ領域と駆動領域とをこの順序で有しており、前記調整領域の構造的な向きが、前記駆動領域の構造的な向きと同一であり、前記クラッチ領の域構造的な向きが、前記調整領域の構造的な向きに垂直である、
請求項１に記載の緊急取出装置。
【請求項７】
前記解除バーが、前記クラッチ領域によって回動されて、前記自動ロック式動力装置から前記クラッチギアを分離する、
請求項６に記載の緊急取出装置。
【請求項８】
前記スロットイン光ディスク駆動装置が正常動作状態であるときに、前記取出プレートは回転されず、前記ラックが前記ラチェットから離間され、前記調整領域の構造的な向きは、ガイドピンの回動を拘束するようにガイドピンの回動方向に垂直であり、それによって、前記クラッチギアが、前記自動ロック式動力装置に係合される、
請求項６に記載の緊急取出装置。
【請求項９】
前記ラックが、前記取出プレートの端部の背面側に配置される、
請求項１に記載の緊急取出装置。
【請求項１０】
前記細棒材が、前記取出孔内に複数回抜差しされ、光ディスクがアンロードされる、
請求項１に記載の緊急取出装置。
【請求項１１】
弾性部材が、前記解除バーの前記ガイドピンが配置されている端部から伸長されており、作動面構造体が、前記弾性部材の後端部の片側から突出しており、傾斜面を含む解除構造体が、前記弾性部材の後端部の反対側から突出する、
請求項１に記載の緊急取出装置。
【請求項１２】
前記解除バーが、回動されて、前記自動ロック式動力装置から前記クラッチギアを分離させるとともに、前記遊動輪と係合させるために前記弾性部材の後端部を移動させる、
請求項１１の緊急取出装置。
【請求項１３】
前記取出プレートが、前記所定方向とは反対方向に前記ラチェットを回転させるように前記ラックを駆動し、前記遊動輪は、前記弾性部材の前記作動面構造体を拘束することにより回転不能状態となり、それによって、前記ラチェットが、空転状態になるとともに、前記ラチェットユニットを逆回転できなくする、
請求項１２に記載の緊急取出装置。
【請求項１４】
前記取出プレートが、前記ラックを駆動して所定方向に前記ラチェットを押出し、前記遊動輪の歯が、前記弾性部材の前記傾斜面を含む解除構造体に沿って移動して前記弾性部材を押出し、前記ラチェットユニットが、前記変速ギアユニットを回転させて、前記光ディスクをアンロードする、
請求項１２に記載の緊急取出装置。
【発明の詳細な説明】
【技術分野】
【０００１】
本発明は、スロットイン光ディスク駆動装置に関し、より詳細には、スロットイン光ディスク駆動装置が、機械の不具合又は電源の障害等の異常動作状態にあるときに、光ディスクを手動でアンロードすることが可能な緊急取出装置に関する。
【背景技術】
【０００２】
スロットイン光ディスク駆動装置は、光ディスクをロード又はアンロードするために、バー、ローラ及びベルトを駆動させるギアユニットを利用している。このスロットイン光ディスク駆動装置は、機械の不具合又は電源の障害が生じた際に、光ディスクを自動的にアンロードすることができない。そのため、スロットイン光ディスク駆動装置の筐体が取外されて、光ディスクを取上げている。しかし、ユーザは、筐体、特に、車載オーディオ機器やコンピュータ及び高級視聴覚（ＡＶ）機器に配置されたスロットイン光ディスク駆動装置を簡単に分解することはできず、オペレータは、スロットイン光ディスク駆動装置を修理するために訓練を受ける必要がある。
【０００３】
図１を参照すると、図１には、従来技術として特許文献１に開示されているスロットイン光ディスク駆動装置１０の図が示されている。駆動モータ１１が、自動ロック解除方式の駆動バー１２の一端部に配置されている。開口スロット１３が、駆動バー１２の他端部に形成されるとともに、スロットイン光ディスク駆動装置１０の前面部に向けて伸びている。自動ロック式ウォームギア１４が、駆動バー１２の中央に配置されており、ギアユニット１５を駆動させる。ギアユニット１５の一端部が、ローラ１６を回転させ、ギアユニット１５の他端部は、揺動部材１７によって作動されてクランプユニット１８を駆動させ、光ディスクをクランプ又は解除する。揺動部材１７は、光ディスクの位置を検出するために利用されている。ギアユニット１５の他端部は、さらに摺動スロット１９を駆動させ、ローラ１６を持上げる又はこの持上げた高さを低くする。スロットイン光ディスク駆動装置１０が、機械の不具合又は電源の障害によって異常動作状態となるときに、開口スロット１３が従来の工具によって回転されて、ウォームギア１４によって、駆動バー１２を自動ロック状態に固定されることが防止される。このウォームギア１４が、ギアユニット１５の中間ギアを前後に直接回転してギアユニット１５の区間幅を減少させ、光ディスクを迅速にアンロードする。
【先行技術文献】
【特許文献】
【０００４】
【特許文献１】米国特許第８，０４２，１２８号明細書
【発明の概要】
【発明が解決しようとする課題】
【０００５】
従来のスロットイン光ディスク駆動装置１０は、駆動バー１２を回転してウォームギア１４を駆動させ、ギアユニット１５の回転を介して光ディスクを緊急の場合にアンロードすることができる。しかし、短リード距離（low-lead）のウォームギア１４は、光ディスクをアンロードするために、長い時間を費やしてギアユニット１５を駆動してローラ１６を回転させているので、そのため、光ディスクを迅速にアンロードすることができない。従って、光ディスク駆動装置における緊急取出装置について解決すべき問題がある。
【課題を解決するための手段】
【０００６】
本発明の目的は、上述の欠点を解決するためのスロットイン光ディスク駆動装置用の緊急取出装置を提供することである。この緊急取出装置は、取出プレート上に形成された３つの領域を含むガイドスロットを利用して、解除バーに配置されたクラッチギアを自動ロック式動力装置から分離させ、それによって、変速ギアユニットを手動で回転させて、光ディスクをアンロードする。
【０００７】
本発明の別の目的は、スロットイン光ディスク駆動装置用の緊急取出装置を提供することである。この緊急取出装置は、変速ギアユニットを回転させるために、取出プレートのラックを利用してラチェットユニットを直接駆動させ、それによって、簡便かつ迅速に光ディスクをアンロードする。
【０００８】
本発明の他の目的は、スロットイン光ディスク駆動装置用の緊急取出装置を提供することである。この緊急取出装置は、解除バー上に弾性部材を配置して、ラチェットユニットが変速ギアユニットを逆回転させることを防止させ、それによって、光ディスクを効率的にアンロードする。
【０００９】
上記目的を達成するために、スロットイン光ディスク駆動装置用の緊急取出装置が、このスロットイン光ディスク駆動装置の筐体の内側に配置されている。取出孔が、この筐体に形成されている。スロットイン光ディスク駆動装置は、自動ロック式動力装置を利用して変速ギアユニットを駆動させている。変速ギアユニットの伝達部分が、メインギアを介してクラッチギアと係合して自動ロック式動力装置と接続される。変速ギアユニットの他の伝達部分が、スロットイン光ディスク駆動装置に対して光ディスクをロード又はアンロードするために、ローラを回転させるとともに取出機構を駆動させている。この緊急取出装置のラチェットユニットは、軸線方向に互いに接続された遊動輪とラチェットとを備える。この遊動輪は、変速ギアユニットに係合される。取出プレートが、変速ギアユニットに対して回転自在に枢動する。取出プレートの一端部が、取出孔と整列される。ラックとガイドスロットとが、取出プレートの他端部に配置される。このラックは、取出プレートの移動に合わせてラチェットと係合する又はラチェットから分離される。ガイドスロットは、Ｎ字型のスロットである。解除バーが、メインギアに対して軸線方向に枢動する。解除バーの一端部は、メインギアをクラッチギアに係合するために、クラッチギア上に固定されている。ガイドピンが、解除バーの他端部から突出しており、ガイドスロット内に挿入されて摺動自在になる。取出プレート上に固定された回復バネの一端が、弾性力を提供して取出プレートの一端部を回復させて、取出孔に整列させる。
【００１０】
スロットイン光ディスク駆動装置が正常動作状態であるときは、取出プレートは回転せず、ラックがラチェットから離間している。ガイドスロットが、調整領域とクラッチ領域と駆動領域とを含む。調整領域の構造的な向きは、ガイドピンの回動を拘束するためにガイドピンの回動方向に垂直であり、それによって、クラッチギアが、自動ロック式動力装置に係合される。細棒材が取出孔に挿入されて、緊急取出し用の取出プレートを回転させる。ガイドピンが、ガイドスロットに沿って摺動されて解除バーを回動させ、それによって、解除バーの他端部に配置されたクラッチギアが、自動ロック式動力装置から分離される。一方で、取出プレートが、ラックを駆動させて、変速ギアユニットを駆動するために所定方向にラチェットユニットを回転させ、光ディスクをアンロードする。細棒材を引抜くと、回復バネが、取出プレートを回復させる一方、取出プレートが、ラックを駆動して所定方向とは反対方向にラチェットを回転駆動させ、ラチェットが、空転状態となり、変速ギアユニットを逆回転させるように遊動輪を駆動させない。
【００１１】
本発明のスロットイン光ディスク駆動装置用の緊急取出装置は、解除バーのガイドピンが配置されている端部においてこの端部から伸長される弾性部材を配置している。作動面構造体が、弾性部材の後端部の片側から突出しており、傾斜面を含む解除構造体が、弾性部材の後端部の反対側から突出している。その時点で、弾性部材の後端部は、遊動輪に係合されている。取出プレートが、所定方向とは反対方向にラチェットを回転させるようにラックを駆動させる。遊動輪は、弾性部材の作動面構造体を拘束することによって回転不能状態となり、それによって、ラチェットが空転状態となるとともに、ラチェットユニットを逆回転できなくする。取出プレートが、ラックを駆動して所定方向にラチェットを押出す。遊動輪の歯が、弾性部材の傾斜面を含む解除構造体に沿って移動して弾性部材を押出し、そして、ラチェットユニットが、変速ギアユニットを回転させて、光ディスクをアンロードする。
【００１２】
本発明のこれらの目的及び他の目的は、様々な図や図面に例示される以下の好ましい実施形態の詳細な説明を理解した後に、確かに当業者に明らかになるだろう。
【図面の簡単な説明】
【００１３】
【図１】図１は、従来技術におけるスロットイン光ディスク駆動装置の図である。
【図２】図２は、本発明の実施形態によるスロットイン光ディスク駆動装置の図である。
【図３】図３は、本発明の実施形態による緊急取出装置の拡大図である。
【図４】図４は、本発明の実施形態によるクラッチギアを分離させる際の緊急取出装置の図である。
【図５】図５は、本発明の実施形態による変速ギアユニットを駆動させる際の緊急取出装置の図である。
【図６】図６は、本発明の実施形態による取出プレートを解除する際の緊急取出装置の図である。
【図７】図７は、本発明の他の実施形態による緊急取出装置の図である。
【図８】図８は、本発明の他の実施形態による緊急取出装置の解除バーの図である。
【図９】図９は、本発明の他の実施形態による取出プレートを移動させる際の緊急取出装置の図である。
【発明を実施するための形態】
【００１４】
図２及び図３を参照すると、図２には、本発明の実施形態によるスロットイン光ディスク駆動装置２０の図が示されている。図３は、本発明の実施形態による緊急取出装置２４の拡大図である。スロットイン光ディスク駆動装置２０は、筐体２１を備えており、そこに中空構造が配置されている。ローラ２２が、筐体２１の前面側に配置されている。ローラ２２の順方向回転又は逆方向回転が、光ディスクをロード又はアンロードするために利用される。取出孔２３が、ローラ２２に隣接して筐体２１に形成されている。取出孔２３は、緊急取出装置２４の構造設計に従って筐体２１の前面側又は横方向側に形成できる。
【００１５】
スロットイン光ディスク駆動装置２０は、変速ギアユニット３１を駆動させるために自動ロック式動力装置３０を利用する。変速ギアユニット３１は、互いに係合する複数のギアを含む。変速ギアユニット３１の伝達部分が、メインギア３２を介してクラッチギア３３に係合され、自動ロック式動力装置３０に接続される、従って、自動ロック式動力装置３０は、変速ギアユニット３１を駆動させることができる。変速ギアユニット３１の他の伝達部分が、ローラ２２を回転させるとともに取出機構３４を駆動させる。さらに、光ディスクの位置を検出するために利用される揺動部材３５が摺動されて変速ギアユニット３１と係合すると、取出機構３４が作動され、それによって、クランプユニットを駆動して、光ディスクをクランプ又は解除するとともに、光ディスク（図示せず）をロード又はアンロードするためにローラ２２を持上げる又はこの持上げた高さを低くする。光ディスクをロード又はアンロードするための取出機構３４の動作は、従来の技術的範囲に属しており、詳細な説明は、ここで簡略化のため省略される。
【００１６】
緊急取出装置２４は、筐体２１の内側に配置されている。緊急取出装置２４は、ラチェットユニット４０と、取出プレート４１と、解除バー４２と、回復バネ４３とを備えている。ラチェットユニット４０は、軸線方向に互いに接続される遊動輪４４とラチェット４５とを備える。この遊動輪４４は、変速ギアユニット３１と係合するとともに、変速ギアユニット３１により駆動される。所定方向Ｍ（例えば、図に示すような時計回りの方向）へ回転するラチェット４５は、一方向回転によって遊動輪４４に対しては回転されないが、遊動輪４４と同時に回転する。所定方向Ｍの反対の方向（例えば、図の反時計回りの方向）へ回転するラチェット４５は、ラチェット４５と遊動輪４４との間が空転状態になるので遊動輪４４を回転させない。
【００１７】
取出プレート４１は、変速ギアユニット３１に対して回転自在に枢動できる。取出プレート４１の一端部が、取出孔２３と整列される。ソケット４６は、取出プレート４１の一端部に配置することができ、細棒材４７が、取出孔２３内に挿入されると、このソケット４６によって容易に細棒材を固定することができる。ラック４８とガイドスロット５０とが、取出プレート４１の他端部に配置されている。ラック４８は、取出プレート４１の他端部の背面側に配置される。ラック４８が、取出プレート４１の移動に従ってラチェット４５と係合する又はラチェット４５から分離することができる。ガイドスロット５０は、調整領域５１とクラッチ領域５２と駆動領域５３とをこの順序通りに含む、Ｎ字型のスロットである。調整領域５１の構造的な向きは、駆動領域５３の構造的な向きと実質的に同じであり、クラッチ領域５２の構造的な向きは、調整領域５１の構造的な向きと駆動エリア５３の構造的な向きとに対して実質的に垂直な方向である。
【００１８】
解除バー４２は、メインギア３２に対して軸線方向に枢動する。解除バー４２の一端部は、クラッチギア３３に固定されており、それによって、解除バー４２が、メインギア３２を包囲した状態でクラッチギア３３を移動させるときに、クラッチギア３３をメインギア３２に係合させることができる。ガイドピン５４が、解除バー４２の他端部から突出しており、ガイドスロット５０内に挿入されて摺動自在となる。取出プレート４１上に固定された回復バネ４３の一端が、取出プレート４１に対して弾性力を提供して、それによって、取出プレート４１の端部を回復させて、取出孔２３と整列させる。
【００１９】
図３に示されるように、スロットイン光ディスク駆動装置２０が正常動作状態のときに、本発明の緊急取出装置２４は、取出プレート４１を回転させていない状態であり、ラック４８がラチェット４５から離間されており、クラッチギア３３が、自動ロック式動力装置３０に係合されている。自動ロック式動力装置３０の急速な回転により、クラッチギア３３が、自動ロック式動力装置３０から強制的に分離され、解除バー４２の他端部に配置されたガイドピン５４が（図中の矢印のように）逆向きに回動するように駆動される。だが調整領域５１の構造的な向きは、ガイドピン５４の回動方向に対して垂直であるので、ガイドピン５４の回動が拘束され、クラッチギア３３が、自動ロック式動力装置３０に安定して係合され、通常の動力伝達を維持する。
【００２０】
図４を参照すると、図４には、本発明の実施形態によるクラッチギア３３を分離させる際の緊急取出装置２４の図が示されている。本発明のスロットイン光ディスク駆動装置が、光ディスクを緊急時にアンロードするときに、細棒材４７が取出孔２３に挿入されて、取出プレート４１上に配置されたソケット４６に接触する。この細棒材４７が、取出プレート４１を回転させて、ガイドピン５４をガイドスロット５０の調整領域５１からクラッチ領域５２に摺動させる。ガイドピン５４が駆動領域５３に到達すると、クラッチ領域５２の構造的な向きは、調整領域５１の構造的な向きに実質的に垂直な方向であるため、解除バー４２が回動される。従って、解除バー４２の他端部に配置されたクラッチギア３３は、自動ロック式動力装置３０から分離され、変速ギアユニット３１は、自由に回転することができる。一方、取出プレート４１が、ラック４８をラチェット４５と係合するように回転され、ラチェット４５が、取出プレート４１の移動上に位置することになる。
【００２１】
図５を参照すると、図５には、本発明の実施形態による変速ギアユニット３１を駆動させる際の緊急取出装置２４の図が示されている。細棒材４７が、取出プレート４１を連続的に回転させると、ガイドピン５４が、ガイドスロット５０に沿って摺動されて、駆動領域５３内に移動する。駆動領域５３の構造的な向きが、調整領域５１の構造的な向きと同じであるため、解除バー４２が回動しない状態になり、クラッチギア３３は、自動ロック式動力装置３０から分離され、変速ギアユニット３１は拘束されない。ラック４８は、所定方向Ｍにラチェット４５を回転させ、そしてラチェット４５が遊動輪４４を駆動させ、それによって、ラチェットユニット４０は、変速ギアユニット３１を駆動してローラ２２と取出機構３４とを回転させ、取出ストロークの一部として光ディスクを取出す。
【００２２】
図６を参照すると、図６には、本発明の実施形態による取出プレート４１を解除する際の緊急取出装置２４の図が示されている。細棒材４７が引抜かれると、取出プレート４１に加えられていた力が取除かれ、取出プレート４１上に固定された回復バネ４３の一端は、取出プレート４１に対して弾性力を提供して、それによって、取出プレート４１を取出プレート４１の一端部が取出孔２３と整列する位置に回復させる。一方で、ラック４８が、所定方向とは反対側の方向Ｎにラチェット４５を回転させる。遊動輪４４と変速ギアユニット３１との間の接続によって生成されたスロットイン光ディスク駆動装置２０の慣性抵抗によって、ラチェット４５が空転状態となり、遊動輪４４と変速ギアユニット３１とが逆回転せず、光ディスクは、元の位置に戻って不動状態となる。最終的に、図３に示されるように、スロットイン光ディスク駆動装置２０は、通常の動作モードに戻る。図４〜図６に示される手順は、光ディスクを完全にアンロードするために繰返される。緊急取出装置２４は、３回〜１０回程度の、細棒材４７の往復運動によって光ディスクをアンロードすることができる。この往復運動の回数は、緊急取出装置２４の構造設計に対応する。
【００２３】
図７及び図８を参照すると、図７には、本発明の他の実施形態による緊急取出装置６０の図が示されている。図８は、本発明の他の実施形態による緊急取出装置６０の解除バー６１の図である。この実施形態では、上記実施形態と同じ参照符号を有する構成要素は、同じ構造と機能とを有しており、簡略化のためにここで詳細な説明は省略する。実施形態の間の相違は、解除バーにある。この実施形態の解除バー６１は、メインギア３２に対して軸線方向に枢動する。解除バー６１の一端部は、クラッチギア３３上に固定されており、ガイドピン５４が、解除バー６１の他端部から突出している。しかし、解除バー６１のガイドピン５４が配置されている端部に、弾性部材６２が伸縮自在に配置されている。また、作動面構造体６３が、弾性部材６２の後端部の片側から突出しており、傾斜面を含む解除構造体６４が、弾力性部材６２の後端部の反対側から突出している。
【００２４】
細棒材４７が、取出孔２３から引抜かれると、取出プレート４１に加えられていた力が取除かれ、回復バネ４３が、取出プレート４１を初期位置に回復させる。ガイドピン５４が、ガイドスロット５０の駆動領域５３に沿って摺動されるときに、取出プレート４１が、ラック４８を駆動して所定方向とは反対方向にラチェット４５を回転させる一方、弾性部材６２の後端部が、遊動輪４４に係合され、この遊動輪４４は、弾性部材６２の作動面構造体６３による拘束により回転不能となり、それによって、ラチェット４５が空転状態となり、遊動輪４４を逆回転させることなく、光ディスクが、元の位置に戻って不動状態となる。従って、この実施形態の緊急取出装置６０は、弾性部材６２を利用することにより、遊動輪４４がラチェット４５と共に逆回転することを防止できる。
【００２５】
図９を参照すると、図９には、本発明の他の実施形態による取出プレート４１を移動させる際の緊急取出装置６０の図が示されている。細棒材４７が、緊急取出しのために取出孔２３に挿入されると、この細棒材４７が、取出プレート４１の一端部に配置されたソケット４６に対して接触して取出プレート４１を回転させ、それによって、ガイドスロット５０に沿ってガイドピン５４を摺動させ、このガイドピン５４を調整領域５１及びクラッチ領域５２から駆動領域５３に移動させる。さらに、解除バー６１は、弾性部材６２の後端部を遊動輪４４に係合させるように回動されるとともに、自動ロック式動力装置３０からクラッチギア３３を分離する。同時に、取出プレート４１は、ラック４８を駆動して所定方向にラチェット４５を押出す。遊動輪４４の歯が、弾性部材６２の傾斜面を含む解除構造体６４に沿って移動することにより、点線で示される弾力性部材６２’が配置される位置に向かって弾性部材６２を押出し、ラチェットユニット４０が、変速ギアユニット３１を回転させ、弾性部材６２が緊急取出しを阻害する固定状態となることを防止して光ディスクをアンロードする。
【００２６】
従って、本発明のスロットイン光ディスク駆動装置用の緊急取出装置が、取出プレート上に形成された３つの領域を有するガイドスロットを利用して解除バー上のクラッチギアを駆動させ、このクラッチギアが、自動ロック式動力装置と安定して係合する又はこの動力装置から分離される。取出プレートのラックが、ラチェットを直接的に駆動して変速ギアユニットを回転させて、光ディスクの手動による緊急取出しを簡便に且つ迅速に行わせることができる。
【００２７】
当業者は、本発明の教示を維持しながら、本装置及び本方法の多数の改変及び変更を行うことができることが理解されるだろう。したがって、上記の開示は、添付の特許請求の範囲の境界によってのみ限定されると解釈されるべきである。
【図１】
2013242955.tif 000003
【図２】
2013242955.tif 000004
【図３】
2013242955.tif 000005
【図４】
2013242955.tif 000006
【図５】
2013242955.tif 000007
【図６】
2013242955.tif 000008
【図７】
2013242955.tif 000009
【図８】
2013242955.tif 000010
【図９】
2013242955.tif 000011